(57)【要約】【課題】  操作弁の取付具の加工コストを低減して、取付板に容易に、且つ正確に取付できるようにした空気調和機の室外機を提供する。【解決手段】  操作弁１に備えた取付具２を取り付ける取付板３を有する空気調和機の室外機において、前記取付具２の一端部に先端上面を低くした段部２ａを設け、他端部に半円状の取付部２ｂを設ける一方、前記取付板３に前記段部２ａを保持する保持部３ａと、前記取付板２ｂに対応するねじ孔３ｂとを設けた。【選択図】  図１
2008281301.tif 000002
【特許請求の範囲】
【請求項１】
操作弁に備えた取付具を取り付ける取付板を有する空気調和機の室外機において、
前記取付具の一端部に先端上面を低くした段部を設け、他端部に半円状の取付部を設ける一方、前記取付板に前記段部を保持する保持部と、前記取付部に対応するねじ孔とを設けたことを特徴とする空気調和機の室外機。
【請求項２】
前記保持部が、互いに平行な切り込みによって切り起こされた突部からなり、同突部の側端が前記段部に当接してなることを特徴とする請求項１に記載の空気調和機の室外機。
【発明の詳細な説明】
【技術分野】
【０００１】
本発明は、空気調和機の室外機に係わり、より詳細には、室外機に備えた取付板に加工コストを低減した操作弁の取付具を容易に、且つ正確に取付できるようにした構造に関する。
【背景技術】
【０００２】
従来の空気調和機の室外機は、室外機の外箱の一部に切り込みのある半円状の突部を設け、外箱のベース部分とこの突部の間に、操作弁に備えた取付具の１本の足を挟み込む構造とすることにより、操作弁に備えた取付具をねじ１本で止めるとともに、ねじ締め付けの作業工数を低減できるものがあった。
【０００３】
より詳細には、図５および図６に示すように、操作弁は取付足ａによって、室外機の外箱部分に備えた取付板ｂに取り付けられ、取付足ａの一方は、取付板ｂに形成された半円状の突部ｃに包み込まれるようにし、他方は締め付けねじｄで固定する。突部ｃは、取付足ａの入る奥の方Ｌ２を狭くし、入口側の方Ｌ１を広くすると共に、取付足ａの厚さＳに対して、Ｌ２＜Ｓ＜Ｌ１となるようにすることにより、締付けねじで取付足ａを締め付けた時に、半円状の突部ｃでのガタがなくなり、締付けねじｄのゆるみをなくすことができるようになっていた（例えば、特許文献１参照。）。
【０００４】
しかしながら、上述した構成において、取付足ａには締め付け用のねじｄを通すための挿通孔ｅを穿設する後加工の工程が必要であり、コスト的に不利になっていた。
【０００５】
また、平面視で半円状に形成された突部ｃは、袋状の絞り加工を行なう際、この絞り加工部が一方を開放して袋状に形成されることから、該突部ｃの位置精度や寸法精度に狂いが生じやすくなったり、絞り量が大きくなって割れが生じるおそれがあった。
【特許文献１】特開平１１−８３０８０号公報
【発明の開示】
【発明が解決しようとする課題】
【０００６】
そこで、本発明は上述した課題を解決するためになされたものであって、その目的は、操作弁の加工コストを低減するとともに、取付板に容易に、且つ正確に取付できるようにした空気調和機の室外機を提供することにある。
【課題を解決するための手段】
【０００７】
上述した目的を達成するため、本発明は以下に示す特徴を備えている。
【０００８】
操作弁に備えた取付具を取り付ける取付板を有する空気調和機の室外機において、
前記取付具の一端部に先端上面を低くした段部を設け、他端部に半円状の取付部を設ける一方、前記取付板に前記段部を保持する保持部と、前記取付部に対応するねじ孔とを設けたことを特徴としている。
【０００９】
また、前記保持部が、互いに平行な切り込みによって切り起こされた突部からなり、同突部の側端が前記段部に当接してなることを特徴としている。
【発明の効果】
【００１０】
本発明によれば、操作弁の加工コストを低減するとともに、取付板に容易に、且つ正確に取付できるようにした空気調和機の室外機を提供できる。
【発明を実施するための最良の形態】
【００１１】
次に、本発明の実施形態について図面を参照しながら説明する。
【００１２】
図１は本発明による空気調和機の室外機の外観斜視図であり、図２は本発明による空気調和機の室外機の要部斜視図であり、図３は本発明による空気調和機の室外機の要部説明図で、図３（Ａ）は側面図、図３（Ｂ）は図３（Ａ）に示すＡ−Ａ断面図であり、図４は操作弁の説明図で、図４（Ａ）は操作弁およびその取付具を示す第一の斜視図、図４（Ｂ）は操作弁およびその取付具を示す第二の斜視図である。
【００１３】
本発明による空気調和機の室外機は、本体内部に図示しない熱交換器、送風ファンおよび圧縮機等を備え、図１に示す室外機は、本体の背面側には図示しない前記熱交換器を臨ませた空気吸込部Ａを備え、前面側には図示しない送風ファンを臨ませた空気吐出部Ｂを備え、同空気吐出部Ｂには吐出グリルを備えた構成になっている。
【００１４】
本体の側部には、図１乃至図３に示すように取付板３が設けられ、同取付板３には、図示しない室内機に連なる冷媒管を接続する二方弁および三方弁からなる操作弁１が、同操作弁１に一体成形することによって備えられた取付具２によって取り付けられる構成になっている。
【００１５】
前記取付具２が前記取付板３に取り付けられる際、前記取付具２が正確に位置決めされて容易に取付できるようにするため、前記取付具２および前記取付板３が以下のように構成されている。
【００１６】
前記取付具２には、図４（Ａ）および図４（Ｂ）に示すように、その一端部に先端上面を低くした段部２ａが形成されている。また、他端部には、先端を開放して平面視で半円状もしくはＵ字状に形成された取付部２ｂが形成されている。
【００１７】
前記取付板３には、図２と、図３（Ａ）および図３（Ｂ）に示すように、前記段部２ａを位置決めして保持する保持部３ａが設けられるとともに、前記取付部２ｂを通したねじ４を螺着するねじ孔３ｂが設けられている。
【００１８】
これにより、前記取付具２の一端部が前記保持部３ａによって保持される一方、他端部が、前記取付部２ｂを通したねじ４が前記ねじ孔３ｂに螺着されることによってねじ締め固定されるようになっている。
【００１９】
前記保持部３ａは、互いに平行な切り込み３ｃによって切り起こされ、該切り込み３ｃ側からみて逆凹状に形成され、平面視で帯状に形成された突部３ｄからなる構成になっている。
【００２０】
前記突部３ｄは、平面視で帯状に形成されたことにより、上述した従来技術における半円状に形成された突部のように、絞り加工部の一方のみを開放した袋状の形状とは異なる構造になる。
【００２１】
これにより、前記突部３ｄの絞り量が大きくならないように抑えることができることから、絞り加工を行なうことによって該箇所に割れのおそれが生じにくくなる。
【００２２】
また、上述した従来技術のように、絞り加工による前記突部３ｄが一方を開放した袋状には形成されていないことから、同突部３ｄの位置精度や寸法精度に狂いが生じにくくなる。
【００２３】
前記突部３ｄは、位置および寸法が精度よく形成されることにより、前記段部２ａを保持する際、図３（Ｂ）に示すように、前記取付板３および前記突部３ｄの間に前記段部２ａを容易に、且つガタつき（遊び）が生じないように挟持するとともに、同突部３ｄの側端３ｅに前記段部２ａの側壁を当接させることにより、正確に位置決めして保持できるようになる。
【００２４】
前記操作弁１は、図４（Ａ）および図４（Ｂ）に基づいて上述したように、同操作弁１に備えた取付具２の他端部の先端を開放して平面視で半円状もしくはＵ字状に形成されており、これにより、前記操作弁１を製作する際、前記取付部２ｂは鍛造型によって抜けることになり、上述した従来技術のように、締め付け用のねじを通すための挿通孔を穿設する後加工の工程が不必要になる。
【００２５】
以上説明したように、本発明による空気調和機の室外機であれば、前記操作弁１に備えた取付具２は、鍛造型によって抜く場合、あるいは鋳造品とした場合であっても後加工の工程をなくして加工コストの低減化をはかることができる。
【００２６】
また、前記保持部３ａは、前記突部３ｄの位置および寸法を精度よく形成できるようになって、前記１に備えた取付具２の段部２ａを正確な位置にガタ（遊び）が生じないように位置決めできるようになっている。これによって、前記取付具２の他端部に設けられた取付部２ｂの位置が大きく動いてしまうということがなく、したがって、同取付部２ｂと前記ねじ孔３ｂとが精度よく位置合わせできることになる。
【００２７】
これにより、前記取付板３の保持部３ａで前記取付具２の段部２ａを容易に、且つ正確に位置決めして保持するとともに、前記取付部２ｂを通した前記ねじ４を前記ねじ孔３ｂに螺着して、図１乃至図３に示すように、二方弁および三方弁からなる前記操作弁１を容易に、且つ正確に取付できるようにした空気調和機の室外機となる。
【図面の簡単な説明】
【００２８】
【図１】本発明による空気調和機の室外機の外観斜視図である。
【図２】本発明による空気調和機の室外機の要部斜視図である。
【図３】本発明による空気調和機の室外機の要部説明図で、図３（Ａ）は側面図であり、図３（Ｂ）は図３（Ａ）に示すＡ−Ａ断面図である。
【図４】操作弁の説明図で、図４（Ａ）は操作弁およびその取付具を示す第一の斜視図であり、図４（Ｂ）は操作弁およびその取付具を示す第二の斜視図である。
【図５】従来例による空気調和機の室外機の操作弁の取付状態を示す要部断面図である。
【図６】従来例による空気調和機の室外機の要部断面図である。
【符号の説明】
【００２９】
１  操作弁
２  取付具
２ａ  段部
２ｂ  取付部
３  取付板
３ａ  保持部
３ｂ  ねじ孔
３ｃ  切り込み
３ｄ  突部
３ｅ  側端
４  ねじ
【図１】
2008281301.tif 000003
【図２】
2008281301.tif 000004
【図３】
2008281301.tif 000005
【図４】
2008281301.tif 000006
【図５】
2008281301.tif 000007
【図６】
2008281301.tif 000008